【手続補正書】
【提出日】平成31年3月13日(2019.3.13)
【手続補正１】
【補正対象書類名】明細書
【補正対象項目名】発明の名称
【補正方法】変更
【補正の内容】
【発明の名称】アダプタ装置、マウント装置、撮像装置およびアクセサリ
【手続補正２】
【補正対象書類名】明細書
【補正対象項目名】０００１
【補正方法】変更
【補正の内容】
【０００１】
本発明は、アダプタ装置、マウント装置、撮像装置およびアクセサリに関する。
【手続補正３】
【補正対象書類名】特許請求の範囲
【補正対象項目名】全文
【補正方法】変更
【補正の内容】
【特許請求の範囲】
【請求項１】
一方に第１のマウントを備え、他方に第２のマウントを備え、前記第１のマウントが撮像装置、前記第２のマウントがアクセサリに着脱できるアダプタ装置であって、
前記第１のマウントは、周方向に沿って、第１のマウント凹部、第１のマウント爪、第２のマウント凹部、第２のマウント爪、第３のマウント凹部、第３のマウント爪が配され、
前記第２のマウントは、周方向に沿って、第４のマウント爪、第４のマウント凹部、第５のマウント爪、第５のマウント凹部、第６のマウント爪、第６のマウント凹部が配され、
前記第１、第２、第３のマウント爪は、前記撮像装置に設けられたマウント凹部に挿入可能であって、
前記第４、第５、第６のマウント爪は、前記アクセサリに設けられたマウント凹部に挿入可能であって、
前記第１、第２、第３のマウント凹部のうち、前記第１のマウントの前記周方向における角度範囲のうちの最小の角度範囲が、前記第４、第５、第６のマウント爪のうち、前記第２のマウントの前記周方向にける角度範囲のうちの最小の角度範囲以下であることを特徴とするアダプタ装置。
【請求項２】
前記第１のマウントおよび前記第２のウントは、それぞれの周方向に沿って、電気的な接続可能とする複数の端子を有していることを特徴とする請求項１に記載のアダプタ装置。
【請求項３】
前記アダプタ装置は、前記第１のマウントおよび前記第２のマウントのマウント径が略同一であることを特徴とする請求項１又は２に記載のアダプタ装置。
【請求項４】
前記第１のマウントに配された前記第１、第２、第３のマウント凹部のうち、互いに隣り合う２つのマウント凹部の前記周方向における角度範囲は、前記第２のマウントに配された前記第４、第５、第６のマウント爪のうち、互いに隣り合う２つのマウント爪の前記周方向における角度範囲以下であることを特徴とする請求項１乃至３の何れか一項に記載のアダプタ装置。
【請求項５】
前記第１のマウントに配された前記第１、第２、第３のマウント凹部のうち、互いに隣り合う２つのマウント凹部の前記周方向における角度範囲は、前記第２のマウントに配された前記第４、第５、第６のマウント爪の全ての前記周方向の角度範囲以下であることを特徴とする請求項１乃至４の何れか一項に記載のアダプタ装置。
【請求項６】
前記第１のマウントは、前記第１、第２、第３のマウント凹部と前記第１、第２、第３のマウント爪に対応した複数のマウント凹部およびマウント爪が配された第３のマウントとバヨネット結合方式で結合することで、前記第３のマウントを備えた前記撮像装置に前記アダプタ装置の着脱ができ、前記アダプタ装置が前記撮像装置に装着された状態で、前記第１、第２、第３のマウント爪が前記第３のマウントに配された前記複数のマウント爪と前記第１のマウントの中心軸方向で係合することを特徴とする請求項１乃至５の何れか一項に記載のアダプタ装置。
【請求項７】
前記アダプタ装置は、前記第１のマウントの前記第１、第２、第３のマウント爪が、前記第３のマウントの前記複数のマウント凹部の対応するマウント凹部に挿入された第１の状態と、当該第１の状態から前記周方向への前記第１のマウントと前記第３のマウントとの相対的な回転により、前記第１、第２、第３のマウント爪が前記第３のマウントの前記複数のマウント爪のうちの対応するマウント爪と光軸方向で係合する第２の状態とに遷移可能であって、
前記第２の状態は、前記アダプタ装置が前記撮像装置に装着された状態であることを特徴とする請求項６に記載のアダプタ装置。
【請求項８】
前記第１のマウントは、前記第１のマウントと前記第３のマウントとがバヨネット結合方式での結合が完了した状態で、前記第１のマウントと前記第３のマウントとの前記周方向への相対的な回転を規制する規制手段を有し、
前記第１のマウントが前記撮像装置に装着されている際に、当該撮像装置が装着されている側から前記第１のマウントを見た場合に、
前記第１のマウント爪は、前記周方向において前記規制手段から１５９°から２１２°の範囲に配され、
前記第２のマウント爪は、前記周方向において前記規制手段から２５６°から３１８°の範囲に配され、
前記第３のマウント爪は、前記周方向において前記規制手段から５４°から１０７°の範囲に配されていることを特徴とする請求項６又は７に記載のアダプタ装置。
【請求項９】
前記第２のマウントは、前記第４、第５、第６のマウント凹部と前記第４、第５、第６のマウント爪に対応した複数のマウント凹部およびマウント爪が配された第４のマウントとバヨネット結合方式で結合することで、前記第４のマウントを備えた前記アクセサリに対する着脱ができ、前記アダプタ装置が前記アクセサリに装着された状態で、前記第４、第５、第６のマウント凹部が前記第４のマウントに配された複数のマウント爪と前記第２のマウントの中心軸方向で係合することを特徴とする請求項１乃至８の何れか一項に記載のアダプタ装置。
【請求項１０】
一方に第１のマウントを備え、他方に第２のマウントを備え、第１のマウントが撮像装置、前記第２のマウントがアクセサリに着脱できるアダプタ装置であって、
前記第１のマウントは、周方向に沿って、第１のマウント凹部、第１のマウント爪、第２のマウント凹部、第２のマウント爪、第３のマウント凹部、第３のマウント爪が配され、
前記第２のマウントは、周方向に沿って、第４のマウント爪、第４のマウント凹部、第５のマウント爪、第５のマウント凹部、第６のマウント爪、第６のマウント凹部が配され、
前記第１、第２、第３のマウント爪は、前記撮像装置に設けられたマウント凹部に挿入可能であって、
前記第４、第５、第６のマウント爪は、前記アクセサリに設けられたマウント凹部に挿入可能であって、
前記第１、第２、第３のマウント凹部のうち、前記第１のマウントの前記周方向における角度範囲のうちの最大の角度範囲よりも、前記第４、第５、第６のマウント爪のうち、前記第２のマウントの前記周方向における角度範囲のうちの最大の角度範囲の方が小さいことを特徴とするアダプタ装置。
【請求項１１】
前記第１のマウントおよび前記第２のマウントは、それぞれの周方向に沿って、電気的な接続を可能とする複数の端子を有していることを特徴とする請求項１０に記載のアダプタ装置。
【請求項１２】
前記アダプタ装置は、前記第１のマウントおよび前記第２のマウントのマウント径が略同一であることを特徴とする請求項１０又は１１に記載のアダプタ装置。
【請求項１３】
前記第４、第５、第６のマウント爪および前記第４、第５、第６のマウント凹部のうち、前記第２のマウントの中心軸方向から前記第２のマウントを見た場合に、基準となる１つのマウント凹部と、当該１つのマウント凹部と隣り合う一方のマウント凹部と、その間に位置するマウント爪の前記周方向における角度範囲の総和が、前記第１、第２、第３のマウント凹部および前記第１、第２、第３のマウント爪のうち、前記第２のマウントの中心軸方向から前記第１のマウントを見た場合に、基準となる１つのアクセサリ側のマウント爪と、当該１つのアクセサリ側のマウント爪に隣り合う一方のマウント爪と、その間に位置するマウント凹部の前記周方向における角度範囲の総和よりも小さく、
前記第２のマウントの中心軸方向から前記第２のマウントを見た場合に、前記基準となるカメラ側のマウント凹部と、当該基準となるカメラ側のマウント凹部と隣り合う他方のマウント凹部と、その間に位置するマウント爪の前記周方向における角度範囲の総和が、前記第２のマウントの中心軸方向から前記第２のマウントを見た場合に、前記基準となるアクセサリ側のマウント爪、当該基準となるアクセサリ側のマウント爪と隣り合う他方のマウント爪と、その間に位置するマウント凹部の前記周方向における角度範囲の総和以下であることを特徴とする請求項１０乃至１２の何れか一項に記載のアダプタ装置。
【請求項１４】
少なくとも、前記第２のマウントの中心軸方向から前記第２のマウントを見た場合の、前記第６のマウント凹部と第４のマウント凹部とその間に位置する前記第４のマウント爪の前記周方向における角度範囲の総和と、前記第４のマウント凹部と第５のマウント凹部とその間に位置する第５のマウント爪の前記周方向における角度範囲の総和とが、
前記第１のマウントの中心軸方向から前記第１のマウントを見た場合の、前記第３のマウント爪と前記第１のマウント爪とその間に位置する前記第１のマウント凹部の前記周方向における角度範囲の総和と、前記第１のマウント爪と前記第２のマウント爪とその間に位置する前記第２のマウント凹部の前記周方向における角度範囲の総和と、前記第２のマウント爪と前記第３のマウント爪とその間に位置する前記第３のマウント凹部の前記周方向における角度範囲の総和以下であることを特徴とする請求項１０乃至１３の何れか一項に記載のアダプタ装置。
【請求項１５】
前記第２のマウントは、前記第４、第５、第６のマウント爪と前記第４、第５、第６のマウント凹部に対応した複数のマウント凹部およびマウント爪が配された第４のマウントとバヨネット結合方式で結合することで、前記第４のマウントを備えた前記アクセサリに対する前記アダプタ装置の着脱ができ、前記アダプタ装置が前記アクセサリに装着された状態で、前記第４、第５、第６のマウント爪が前記第４のマウントに配された前記複数のマウント爪と前記第２のマウントの中心軸方向で係合することを特徴とする請求項１０乃至１４の何れか一項に記載のアダプタ装置。
【請求項１６】
前記アダプタ装置は、前記第２のマウントの前記第４、第５、第６のマウント爪が、前記第４のマウントの前記複数のマウント凹部の対応するマウント凹部にそれぞれ挿入された第１の状態と、当該第１の状態から前記周方向への前記第２のマウントと前記第４のマウントとを相対的に回転させることにより、前記第４、第５、第６のマウント爪が前記第４のマウントの前記複数のマウント爪のうちの対応するマウント爪とそれぞれ前記第２のマウントの中心軸方向で係合する第２の状態とに遷移可能であって、
前記第２の状態は、前記アダプタ装置が前記アクセサリに装着された状態であることを特徴とする請求項１５に記載のアダプタ装置。
【請求項１７】
前記第２のマウントは、前記第２のマウントと前記第４のマウントとが、バヨネット結合方式での結合が完了した状態で、前記第２のマウントと前記第４のマウントとの前記周方向への相対的な回転を規制する規制手段を有し、
前記第２のマウントを前記第４のマウントが設けられた側から見た場合に、
前記第４のマウント爪は、前記規制手段から１６９°から２１７°の範囲に配され、
前記第５のマウント爪は、前記規制手段から２７４°から３１４°の範囲に配され、
前記第６のマウント爪は、前記規制手段から２０°から１１２°の範囲に配されていることを特徴とする請求項１５又は１６に記載のアダプタ装置。
【請求項１８】
第１のマウントを備えるアクセサリを装着可能な撮像装置であって、前記第１のマウントに設けられた複数の爪に対してバヨネット結合方式での結合が可能な複数のマウント爪を備える第２のマウントを有し、
前記複数のマウント爪は、前記第２のマウントの周方向に配された、第１のマウント爪と、前記周方向における角度範囲が前記第１のマウント爪の角度範囲以下である第２のマウント爪および第３のマウント爪と、を含み、
前記撮像装置の正位置において、前記第２のマウントの中心軸方向から前記撮像装置を見た場合に、前記第２のマウントの中心から重力方向および当該重力方向とは反対方向に延びる線を第１のマウント中心線とし、前記第１のマウント中心線と直交する線を第２のマウント中心線とした場合、
前記第２のマウントの径方向において、前記第１のマウント爪が前記第１のマウント中心線と重畳し、前記第２のマウント爪および前記第３のカメラマウント爪の少なくとも一方が前記第２のマウント中心線と重畳し、
前記第２のマウントにおける前記第１のマウント爪の角度範囲は、前記第２のマウントにおける前記第２のマウント爪の角度範囲と前記第３のマウント爪の角度範囲の総和以上であることを特徴とする撮像装置。
【請求項１９】
前記撮像装置の前記正位置において前記第２のマウントの中心軸方向から前記撮像装置を見た場合に、前記第２のマウントの前記周方向において、前記第２のマウント中心線を基準として前記重力方向とは反対を含む側における前記複数のマウント爪部の角度範囲の総和が、前記第２のマウント中心線を基準とした前記重力方向を含む側における前記複数のマウント爪部の角度範囲の総和以上である、ことを特徴とする請求項１８に記載の撮像装置。
【請求項２０】
前記第２のマウントと前記第１のマウントとがバヨネット結合された状態で前記アクセサリに設けられたロック溝に嵌合するロック部材を有し、
前記ロック部材は、前記第２のマウント中心線と重畳する前記第２のマウント爪および前記第３のマウント爪の少なくとも一方と、前記第１のマウント中心線を挟んで反対側に設けられていることを特徴とする請求項１８又は１９に撮像装置。
【請求項２１】
前記第２のマウントは、前記第１のマウント爪と前記第２のマウント爪との間に、前記第１のマウントに設けられた前記複数の爪のうちの第４のマウント爪を挿入可能な第１のマウント凹部と、前記第２のマウント爪と前記第３のマウント爪との間に、前記第１のマウントに設けられた前記複数の爪のうちの第５のマウント爪を挿入可能な第２のマウント凹部と、前記第３のマウント爪と前記第１のマウント爪との間に、前記第１のマウントに設けられた前記複数の爪のうちの第６のマウント爪を挿入可能な第３のマウント凹部と、を有し、
前記第１のマウント凹部は、前記第２のマウントの前記周方向における角度範囲が、前記第２のマウント凹部および前記第３のマウント凹部の前記周方向における角度範囲以下であることを特徴とする請求項１８乃至２０の何れか一項に記載の撮像装置。
【請求項２２】
前記第２のマウントの前記周方向における角度範囲は、前記第１のマウント爪が９２°、第２のマウント爪が４８°、第３のマウント爪が４０°であることを特徴とする請求項２１に記載の撮像装置。
【請求項２３】
第１のマウントを備える撮像装置に装着可能なアクセサリであって、前記第１のマウントに設けられた複数の爪に対してバヨネット結合方式での結合が可能な複数のマウント爪および複数のマウント凹部を備える第２のマウントを有し、
前記複数のマウント凹部は、前記第２のマウントの周方向において配された、第１のマウント凹部と、前記第２のマウントの前記周方向における角度範囲が前記第１のマウント凹部の角度範囲以下である第２のマウント凹部および第３のマウント凹部と、を含み、
前記アクセサリが装着された前記撮像装置の正位置において前記第２のマウントの中心軸方向から見た場合に、前記第２のマウントの中心から重力方向および当該重力方向とは反対方向に延びる線を第１のマウント中心線とした場合、
当該第１のマウント中心線は、前記複数のマウント凹部の何れも重畳せず、
前記第１のマウント凹部は、前記第２のマウントに占める角度範囲が、前記第２のマウントに占める前記第２のマウント凹部の角度範囲と前記第３のマウント凹部の角度範囲の総和以上であることを特徴とするアクセサリ。
【請求項２４】
前記第２のマウントの径方向において、前記複数のマウント爪として、第１のマウント爪、第２のマウント爪、第３のマウント爪を有し、このうちの少なくとも２つの爪が前記第１のマウント中心線と重畳することを特徴とする請求項２３に記載のアクセサリ。
【請求項２５】
前記アクセサリは、前記複数の爪の間に前記複数のマウント爪が挿入された第１の状態と、前記複数の爪と前記複数のマウント爪とが光軸方向において互いに係合することで前記第１のマウントに対して前記第２のマウントの結合が完了した第２の状態とに遷移できることを特徴とする請求項２３又は２４に記載のアクセサリ。
【請求項２６】
前記第１のマウント爪および前記第３のマウント爪は、前記第２のマウントの径方向において、前記第１のマウント中心線と重畳することを特徴とする請求項２４又は乃至２５の何れか一項に記載のアクセサリ。
【請求項２７】
前記アクセサリが前記撮像装置に装着された状態で、前記第２のマウントの中心軸方向から前記アクセサリを見た場合に、前記第１のマウント中心線と直交する線を第２のマウント中心線とし、
前記第２のマウント爪は、前記第２のマウントの径方向において、前記第２のマウント中心線と重畳することを特徴とする請求項２６に記載のアクセサリ。
【請求項２８】
前記第２のマウントと前記第１のマウントとがバヨネット結合された状態で前記撮像装置に設けられたロック部材が嵌合するロック溝を有し、
前記ロック溝は、前記第２のマウントの径方向において、前記第２のマウント中心線と重畳する第３のマウント爪と前記第１のマウント中心線を挟んで反対側に設けられていることを特徴とする請求項２７に記載のアクセサリ。
【請求項２９】
前記第２のマウントは、前記第１のマウント凹部に、前記第１のマウントに設けられた前記複数の爪のうちの第４のマウント爪を挿入可能であって、前記第２のマウント凹部に、前記第１のマウントに設けられた前記複数の爪のうちの第５のマウント爪を挿入可能であって、前記第３のマウント凹部に、前記第１のマウントに設けられた前記複数の爪のうちの第６のマウント爪を挿入可能であることを特徴とする請求項２３乃至２８の何れか一項に記載のアクセサリ。
【請求項３０】
第１のマウントを備えるアクセサリを装着可能なマウント装置であって、前記第１のマウントに設けられた複数の爪に対してバヨネット結合方式での結合が可能な複数のマウント爪とロック部材とを備える第２のマウントを有し、
前記複数のマウント爪は、前記第２のマウントの周方向に配された、第１のマウント爪と、前記周方向における角度範囲が前記第１のマウント爪の角度範囲以下である第２のマウント爪および第３のマウント爪と、を含み、
前記第２のマウントは、前記ロック部材が前記第２のマウントの左側に位置する状態で、前記第２のマウントの中心軸方向から前記マウント装置を見た場合に、前記第２のマウントの中心から重力方向および当該重力方向とは反対方向に延びる線を第１のマウント中心線とし、前記第１のマウント中心線と直交する線を第２のマウント中心線とした場合、
前記第２のマウントの径方向において、前記第１のマウント爪が前記第１のマウント中心線と重畳し、前記第２のマウント爪および前記第３のカメラマウント爪の少なくとも一方が前記第２のマウント中心線と重畳し、
前記第１のマウント爪の角度範囲は、前記第２のマウントにおける前記第２のマウント爪の角度範囲と前記第３のマウント爪の角度範囲の総和以上であることを特徴とするマウント装置。
【請求項３１】
前記ロック部材が左側に位置する状態で、前記第２のマウントの中心軸方向から前記マウント装置を見た場合に、前記第２のマウントの前記周方向において、前記第２のマウント中心線を基準として前記第１のマウント爪を含む一方の側における前記複数のマウント爪部の角度範囲の総和が、前記第２のマウント中心線を基準とした前記一方の側とは反対の他方の側における前記複数のマウント爪部の角度範囲の総和以上である、ことを特徴とする請求項３０に記載のマウント装置。
【請求項３２】
前記ロック部材は、前記第２のマウントと前記第１のマウントとがバヨネット結合された状態で前記アクセサリに設けられたロック溝に嵌合するロックピンであって、
前記ロック部材は、前記第２のマウント中心線と重畳する前記第２のマウント爪および前記第３のマウント爪の少なくとも一方と、前記第１のマウント中心線を挟んで反対側に設けられていることを特徴とする請求項３０又は３１にマウント装置。
【請求項３３】
前記第２のマウントは、前記第１のマウント爪と前記第２のマウント爪との間に、前記第１のマウントに設けられた前記複数の爪のうちの第４のマウント爪を挿入可能な第１のマウント凹部と、前記第２のマウント爪と前記第３のマウント爪との間に、前記第１のマウントに設けられた前記複数の爪のうちの第５のマウント爪を挿入可能な第２のマウント凹部と、前記第３のマウント爪と前記第１のマウント爪との間に、前記第１のマウントに設けられた前記複数の爪のうちの第６のマウント爪を挿入可能な第３のマウント凹部と、を有し、
前記第１のマウント凹部は、前記第２のマウントの前記周方向における角度範囲が、前記第２のマウント凹部および前記第３のマウント凹部の前記周方向における角度範囲以下であることを特徴とする請求項３０乃至３２の何れか１項に記載のマウント装置。
【請求項３４】
前記第２のマウントの前記周方向における角度範囲は、前記第１のマウント爪が９２°、第２のマウント爪が４８°、第３のマウント爪が４０°であることを特徴とする請求項３０乃至３３の何れか１項に記載のマウント装置。
【請求項３５】
前記マウント装置は、撮像装置に設けられていることを特徴とする請求項３０乃至３４の何れか１項に記載のマウント装置。
【請求項３６】
前記マウント装置は、アダプタ装置に設けられていることを特徴する請求項３０乃至３４の何れか１項に記載のマウント装置。